(57)【要約】【課題】  スピーカをキーボード筐体から分離し、大きなスピーカを使用する事で音量、音質の向上が可能になる電子機器を提供することを目的とする。【解決手段】  スピーカをキーボード筐体から分離し、スピーカを具備したスピーカ筐体をキーボード筐体に回動可能に装着し、スピーカ未使用時は、キーボード筐体の裏側にスピーカ筐体を格納し、スピーカを使用する際は、スピーカ筐体を回動させて表側に係止させる。さらに、スピーカ筐体は表側に係止した際、キーボード筐体と電気的接続される。【選択図】      図１
2005092548.tif 000002
【特許請求の範囲】
【請求項１】
キー入力部を有する第１筐体と、
この第１筐体にヒンジを介して回動可能に装着された表示部を有する第２筐体と、
前記第１筐体に回動可能に装着された報音装置を有する第３筐体とを具備し、
前記第3筐体は前記第1筐体の裏面側から前記第1筐体の前方もしくは上方に回動可能であることを特徴とする電子機器。
【請求項２】
前記第１筐体に回動可能に装着された前記第３筐体は、前記第１筐体の前方もしくは上方に回動されると、前記第１筐体に電気的接続されることを特徴とする請求項1に記載の電子機器。
【請求項３】
前記第３筐体は右側報音部と、左側報音部とからなり、前記右側報音部と、前記左側報音部とはそれぞれ独立して回動可能である事を特徴とする請求項１又は請求項２に記載の電子機器。
【請求項４】
前記第１筐体に回動可能に装着された前記第３筐体は、前記第１筐体の裏面側から前記第２筐体の表示部下部と、前記第1筐体の前記キー入力部上部との間に折り返すように回動する事を特徴とする請求項１又は請求項２に記載の電子機器。
【発明の詳細な説明】
【技術分野】
【０００１】
本発明は、電子辞書や電子手帳、携帯型のパーソナルコンピュータなどのような、表示部、キー入力部及び報音装置を備えた電子機器に関するものである。
【背景技術】
【０００２】
従来、表示部が配置された表示部ケースと、キー入力部が配置されたキー入力部ケースとを、ヒンジ部を介して開閉させて使用する電子辞書や電子手帳等においては、スピーカ等の報音装置は、表示部ケース或いはキー入力部ケースに収納することが行われている。また、報音装置を表示部やキー入力部を備えたケースとは別のケースに配置することも知られており、例えば、２つに分離されたキー入力部ケースの下にスピーカが収納されたケースを配置し、表示部ケースを開くと２つに分離されたキー入力部ケースが左右に開き、その隙間からスピーカが露呈される様にしたものが知られている（例えば、特許文献１参照。）。
また、キー入力部ケースの前方に、スピーカが収納されたケースを回動可能に配置し、使用時にはスピーカが上方を向くように配置させるものも知られている（例えば、特許文献２参照。）。
【特許文献１】特開２００２−８２７３７号公報
【特許文献２】特開２００１−１２５６７６号公報
【発明の開示】
【発明が解決しようとする課題】
【０００３】
しかしながら、スピーカ等の報音装置を、表示部ケース或いはキー入力部ケースに収納する構成では、スピーカ自体を小さくせざるを得ないので大きな音量を得られないという欠点があり、逆に、スピーカを大きくすると表示部或いはキー入力部の大きさを制限しなければならないので、表示の視認性或いはキー入力の操作性が制限されるという問題があった。
また、特許文献１の表示部ケースを開くと２つに分離されたキー入力部ケースの隙間からスピーカが露呈される構造にあっては、２つのキー入力部ケースの下に設けられたスピーカが配置されるケースの大きさを、２つのキー入力部ケースとほぼ同じ大きさにする必要があり、機器自体が厚くなるばかりか、スピーカの音を良好に発生させるためには２つに分離されたキー入力部ケースの隙間を広くしなければならず、キー入力の操作性が悪くなるといった問題があった。
更に、特許文献２のキー入力部ケースの前方にスピーカが収納されたケースを配置し、使用時にはスピーカが上方を向くように回動させる構造にあっては、スピーカを使用しない場合であっても、キー入力部の前方にスピーカが位置するので、機器自体が大型化するばかりかキー入力時にスピーカが邪魔になるという問題があった。
本発明は、上述した課題に鑑みて為されたものであり、その目的とするところは、比較的大きな報音装置を用いても表示面積やキー入力部の面積に影響を与えることがなく、機器自体も大型化することのない電子機器を提供することである。
【課題を解決するための手段】
【０００４】
本発明は、報音装置を具備した筐体を前記キー入力部を備えた筐体に回動可能に装着し、報音装置未使用時は、前記キー入力部を備えた筐体の裏面側に格納し、報音装置を使用する際は、キー入力部の前方又は上方に位置するようにしたものである。
【発明の効果】
【０００５】
スピーカの大きさが電子機器の大きさに影響を与える事が無くなり、大きなスピーカを使用でき音量、音質の向上が可能になる。
【０００６】
また、スピーカ筐体の左右にスピーカを備えることができ、ステレオ効果を出せる。
【０００７】
更に、スピーカ筐体を表示部下部に配置できる為、キーボード操作時に指、手首による音の遮りが無くなり、使用者に音量、音質の低下のない音を聞かせることが可能になる。
【発明を実施するための最良の形態】
【０００８】
図１乃至図４は、本発明を音声機能付電子辞書等の携帯可能な電子機器１に適用した第１の実施の形態を示しており、図１は報音装置であるスピーカ使用時の外観図であり、図２は図１の背面図である。図３はスピーカ未使用時の外観図であリ、図４は図３の背面図である。
【０００９】
図１に示す様に、電子機器１はキーボードからなるキー入力部２を備えた第１筐体３と、表示部４を備えた第２筐体５と、放音孔６を有し内部にスピーカ（図示せず）を内蔵し、且つ脚部７Ａが一体形成された第３筐体７とから構成されている。前記第１筐体３と前記第２筐体５とは、ヒンジ部８を介して回動可能に装着され、さらに、前記第３筐体７は詳細を後述する如く軸９により前記第１筐体３に回動可能に装着されている。
【００１０】
図２に示す様に、前記第１筐体３の底面は、第1底面１０の左右にそれぞれ形成された前記第1底面１０より低い底面を有する第2底面１１，１１と、前記第１底面１０より突出する第３底面１５とから構成されている。前記第２底面１１の側面１２には、前記第３筐体７が図３及び図４のスピーカ未使用時の位置に回動された際、前記第３筐体７を係止する為の係止凹部１３−１が備えられている。また、図１及び図２のスピーカ使用時の位置にあるとき第３筐体７を係止する係止凹部１３―２（図４参照）が形成されている。そして、前記第３筐体７の脚部７Ａの前記係止凹部１３−１あるいは１３−２に対向する面には係止凸部（図示せず）が形成されており、前記係止凹部１３−１あるいは１３−２に前記係止凸部（図示せず）が嵌合し前記第３筐体７は図３及び図４に示す前記第１筐体３の底面に格納された状態或いは図１及び図２に示すスピーカ使用時の状態に保持される。
【００１１】
尚、係止凹部１３−１と１３−２との間には、軸９の端部が挿入される軸受凹部（図示せず）が形成されており、これにより、第３筐体７は軸９を中心に回動する。
【００１２】
図４は第１筐体３と第３筐体７の電気的接続接点を示す図である。前記第１筐体３の前記第２底面１１にはバネ性を有する接点バネ１６が複数配置され、前記第３筐体７側の脚部７Ａの前記第２底面１１の対向面には、接点端子１７が複数配置されている。
上記の構成において、第３筐体７を回動させて図１及び図２の状態にした際には、脚部７Ａの係止凸部(図示せず)が側面１２の係止凹部１３−２に係止され、図１に示す様にスピーカを内蔵した第３筐体７が第１筐体３の前方に位置決めされる。この時、第１筐体３の接点バネ１６が脚部７Ａの前記接点端子１７と電気的接続し、第１筐体３内部の電子回路（図示せず）からの音声信号によりスピーカから音声が報音される。
図１の状態から、第３筐体７を回動させて図３及び図４の状態にすると、脚部７Ａの係止凸部（図示せず）が側面１２の係止部凹部１３−１に係止され、第３筐体７は第１筐体３の裏面に保持される。そして、更に図４の状態から第２筐体５を閉じると電子機器は携帯に便利な箱状になる。
【００１３】
図5及び図６は、本発明の第２の実施の形態を示しており第１の実施の形態と同一部分に同一符号を用いて詳細な説明は省略する。
図５は第1筐体３の右下にスピーカ（図示せず）を内蔵し放音孔６を備えた第３筐体７−１が配置され、さらに、第1筐体３の左下にも、スピーカ（図示せず）を内蔵し放音孔６を備えた第３筐体７−２が配置されている。前記第３筐体７−１と第３筐体７−２は軸９により前記第1筐体３の前記側面１２（図６）に独立して回動可能に取付けられている。
【００１４】
図６は前記第３筐体７−１及び前記第３筐体７−２と前記第１筐体３の電気的接続を示す図である。前記第３筐体７−１及び前記第３筐体７−２の対向する面の前記第１底面１１、１１にバネ性を有する接点バネ１６、１６が複数配置され、前記第３筐体７−１、前記第３筐体７−２側の前記第１底面１１、１１の対向面には、接点端子１７、１７が複数配置されており、スピーカ使用時には互に電気的接続される。
【００１５】
図７乃至図９は、本発明の第３の実施の形態を示しており、図７はスピーカ使用時の外観図であり、図８はスピーカ未使用時の外観図である。図９は図８の背面図である。
【００１６】
図７はスピーカ使用時を示し、第１筐体３−１はケース側面１８−１にスライド溝１９−１を備えており、このスライド溝１９−１は回動位置２０−１を中心にして表面に回動した取付板２１−１をヒンジ部８側にスライドさせ第３筐体７−３を前記ヒンジ部８の上部、即ち、キー入力部２の上方で且つ表示部４の下方に配置させる。
【００１７】
前記第３筐体７−３は右側面には前記取付板２１−１を、左側面には前記取付板２１−２を備えており、前記取付板２１−１の下側には前記スライド溝１９−１を回動及びスライドする為のスライド軸２２−１が前記スライド溝１９−１に係合する様に備えられている。さらに、前記第３筐体７−３の上端部７−４には、スピーカ未使用時に前記第１筐体３−１に係止する為の凸部（図示せず）が備えられており、前記第１筐体３−１の段部２３には前記凸部（図示せず）が嵌合する位置に凹部（図示せず）が備えられている。
【００１８】
図８は前記第１筐体３−１と前記第３筐体７−３とを電気的接続する接点を示し、前記第１筐体３−１のヒンジ部８の左右の上側には接点端子１７−１が複数備えられている。
【００１９】
図９は前記第３筐体７−３の背面２４の電気的接続する接点を示し、前記第３筐体７−３の前記背面２４には中央に溝状に曲面凹部２５のが備えられ、さらに、曲面凹部２５の底中央には接点バネ１６−１が前記ヒンジ部８の前記接点端子１７−１に接触する位置に備えられている。
【００２０】
然して、上記第３筐体７−３をヒンジ部８の上部に配置させた際には、前記曲面部２５と前記ヒンジ部８の曲面が合わさり接点バネ１６−１と接点端子１７−１との電気的接続がなされ、前記第３筐体７−３と前記第１筐体３−１とが係止される。
【００２１】
尚、本発明は上述した実施の形態例に限定されるものでなく、本発明の趣旨を逸脱しない範囲で適宜変更可能であり、例えば電子辞書だけでなく、電子手帳やＰＤＡ、時計、パーソナルコンピュータ等にも適用出来る。
【図面の簡単な説明】
【００２２】
【図１】第１の実施の形態のスピーカ使用時の外観図を示す。
【図２】第１の実施の形態のスピーカ使用時の背面図を示す。
【図３】第１の実施の形態のスピーカ未使用時の外観図を示す。
【図４】第１の実施の形態のスピーカ未使用時の背面図を示す。
【図５】第２の実施の形態のスピーカ使用時の外観図を示す。
【図６】第２の実施の形態のスピーカ未使用時の背面図を示す。
【図７】第３の実施の形態のスピーカ使用時の外観図を示す。
【図８】第３の実施の形態のスピーカ未使用時の外観図を示す。
【図９】第３の実施の形態のスピーカ未使用時の背面図を示す。
【符号の説明】
【００２３】
１          電子機器
２          キー入力部
３          第１筐体
４          表示部
５          第2筐体
６          放音孔
７          第3筐体
８          ヒンジ部
９          軸
１０        第１底面
１６        接点バネ
１７        接点端子
１９−１    スライド溝
２１−１    取付板
２２−１    スライド軸
２５        曲面凹部
【図１】
2005092548.tif 000003
【図２】
2005092548.tif 000004
【図３】
2005092548.tif 000005
【図４】
2005092548.tif 000006
【図５】
2005092548.tif 000007
【図６】
2005092548.tif 000008
【図７】
2005092548.tif 000009
【図８】
2005092548.tif 000010
【図９】
2005092548.tif 000011